(57)【要約】      （修正有）【課題】温度変化による照度の変化と光のむらを最小限に抑え、各商品見本を均一に照明するＬＥＤ光源を用いた自動販売機用省電力薄型耐熱照明装置を提供する。【解決手段】照明装置は支持材装備額縁材３０，ＬＥＤ光源装備額縁材３１により四辺を形成され筐体に収納されている。ＬＥＤ光源２６はＬＥＤ光源額縁材３１に装着され、ストッパー２１により、パネル本体の熱膨張による干渉を受けない。導光板２２，光拡散素材２３，反射素材２４，アルミ複合板２５は、ＬＥＤ光源２６が装備された上下の対向するＬＥＤ光源装備額縁材３１の内側に組み込まれる。【選択図】図６
2012074027.tif 000002
【特許請求の範囲】
【請求項１】
導光板の正面に全面の光拡散素材と背面に反射素材、アルミ複合板材を備えパネル本体とし、該パネル本体の上下または左右の対向する両端面に高輝度ＬＥＤ光源を装備することで該パネル本体を面発光させる自動販売機用面発光照明装置において、該パネル本体の対向する両端に、少なくともアルミニウムを主成分とする合金からなる、ＬＥＤ光源とストッパー部を有する、背面側を幅広にした額縁材を配置し、ＬＥＤ光源を装備しない両端には支持材を接合する切り欠き部を有する額縁材を配置することで、前記パネル本体の四辺を形成し、該額縁材と前記パネル本体を支持材で支持することを特徴とした自動販売機用省電力薄型耐熱照明装置。
【請求項２】
上記額縁材を着脱自在にすることにより、パネル本体及びＬＥＤ光源を交換可能にする構造を持つことを特徴とした請求項１に記載した自動販売機用省電力薄型耐熱照明装置。
【請求項３】
ＬＥＤ光源及び該ＬＥＤ光源配線接合部に、防滴加工を施したことを特徴とする請求項１または２に記載した自動販売機用省電力薄型耐熱照明装置。
【発明の詳細な説明】
【技術分野】
【０００１】  本発明は、自動販売機の機械内部に設置される、ＬＥＤ光源と導光板を用いた面発光照明装置において、光源であるＬＥＤの発熱および自動販売機自体が発する熱、自動販売機の設置周辺環境に起因する熱による導光板の反り及び変形を防止することにより、商品見本を均一に照明し、温度変化による照度の変化と光のむらを最小限に抑える自動販売機用省電力薄型耐熱照明装置に関する。
【背景技術】
【０００２】自動販売機用の照明器具の光源はたとえば蛍光灯によるものであり、該蛍光灯取付器具の上に実際の商品見本を展示することが一般的であるが、一年中点灯する自動販売機において蛍光灯は、省電力化や長寿命化の面で不十分である。【０００３】また、自動販売機用面発光照明装置としては、光源と導光板、反射材、光拡散材が一体構造でユニット化されており、該照明装置本体をユニットとして交換する方法によってのみ保守メンテナンスが可能である。【０００４】上記自動販売機用面発光照明装置においては、導光板の正面に光透過素材を、背面に反射素材を配し、該光透過素材前面に透過性の素材に印刷した商品見本を展示している。【０００５】上記自動販売機用面発光照明装置は、外枠で該面発光照明装置を固定支持し、その外枠が光源の放熱構造を兼ねた物が多用されている。【０００６】また、上記自動販売機用面発光照明装置は、ＬＥＤ光源及びその配線接合部を防滴加工せずに、主に屋内用として使用している。
【先行技術文献】
【特許文献】
【０００７】
【特許文献１】特開第２０１０−１７７０７７号公報
【特許文献２】特開第２００９−２１１３２０号公報
【特許文献３】特開第２００９−１２３５５７号公報
【発明の概要】
【発明が解決しようとする課題】
【０００８】上記特許文献１においては、導光板は難燃樹脂組成物からなり、該難燃樹脂組成物を指定しているが、導光板の熱による反り、変形を防止するものではない。【０００９】上記特許文献１及び特許文献２、特許文献３で使用している額縁材は、ＬＥＤ光源自体が発する熱は放出するが、外部からの熱を遮断することができない上、ＬＥＤ光源が額縁材に直接固定されている構造の為、ＬＥＤ光源の交換もできず、メンテナンス面でも不都合である。【００１０】さらに、上記特許文献１及び特許文献２、特許文献３では、ＬＥＤ光源及びその配線接合部についても防滴加工がなされていないため、屋外での使用に不安がある。【００１１】熱による導光板の反り及び変形は、光源から直進する光を導光板内に効率よく導光することを妨げるため、照度の低下や発光面のむらを引き起こすが、この現象は導光板が大型になるほど顕著である。【００１２】本発明は上記の課題を解決する為になされたものであるとともに、熱による変形及び反りを防止し、安定した照度により、商品見本の視認性を高め、ＬＥＤと導光板を用いることにより省電力化した、自動販売機用省電力薄型耐熱照明装置を提供することにある。
【課題を解決するための手段】
【００１３】上記目的を達成する為、請求項１に係る自動販売機用省電力薄型耐熱照明装置は、導光板の正面に光拡散素材と背面に反射素材および難燃断熱アルミ複合板材で構成されるパネル本体を、ＬＥＤ光源を装備する、対向した両端には、ストッパーを装備するパネル背面側を幅広にすることでヒートシンクにした額縁材で、ＬＥＤ光源を装備しない対向する両端には支持材を接合する切り欠きを設けた額縁材で、該パネル本体の四辺を形成し、前記額縁材と該パネル本体を支持材で支持することにより、内外部からの熱に起因するパネル本体の膨張、収縮による変形を防止することを特徴としている。【００１４】請求項２に記載の発明は、上記の発明の構造において各額縁材をＬ字型金具により上記パネル本体四隅ではめ込み、六角芋ねじで固定し、額縁材を着脱自在にすることにより、額縁材内に装備されたＬＥＤ光源およびパネル本体を交換することを可能としたことを特徴としている。【００１５】請求項３の発明に係る自動販売機用省電力薄型耐熱照明装置は、ＬＥＤを回路基盤に一定間隔に実装配置し、幅狭長尺モジュールとし、該モジュール全体にコーティング材で防滴加工を施したことを特徴としている。
【発明の効果】
【００１６】本発明に係る自動販売機用省電力薄型耐熱照明装置は請求項１の発明による構造により、光源であるＬＥＤの発する熱、または自動販売機の発する熱、自動販売機を設置する周辺環境による熱により、該照明装置の導光板が変形し、照度が不安定になり発光面にむらが出ることを防ぎ、パネルが熱により膨張することでＬＥＤ光源に接触干渉することによる不具合を解決する。【００１７】請求項２の発明によりＬＥＤ光源を交換可能な構造にすることで、該ＬＥＤ光源が不点灯等の不具合を起こした場合、照明装置をユニットごと交換しなければならない不都合をなくすことができる。【００１８】自動販売機は商品の補充や交換作業が雨天時にも行われ、また随時水拭きによる照明装置の清掃が行われるが、請求項３の発明により水滴の浸入にもＬＥＤ光源が絶縁不良に耐え得る構造とすることができる。【００１９】上記請求項１〜３の発明により、自動販売機等の機械内部照明装置周辺が高温にさらされる環境において、本自動販売機用省電力薄型耐熱照明装置の利用が可能である。
【図面の簡単な説明】
【００２０】
【図１】本発明に係る自動販売機用省電力薄型耐熱照明装置を適用した自動販売機の正面図である。
【図２】上記開放図である
【図３】本発明に係る自動販売機用省電力薄型耐熱照明装置の正面図である。
【図４】上記の背面図である
【図５】支持材装備フレームの断面図である
【図６】図３の下部切欠き断面図である
【図７】図３の縦断面図である
【図８】本発明に係る自動販売機用省電力薄型耐熱照明装置を適用した自動販売機の断面図である
【図９】ＬＥＤ光源を装備する額縁材と支持材を装備する額縁材の締結部および、Ｌ字金具の図である
【発明を実施するための形態】
【００２１】以下、図面を参照しながら本発明に係る自動販売機用照明装置の形態について詳細に説明する。
【００２２】図２のように自動販売機には商品補充の為の全面ドア２があり、この内側上部が商品展示スペースで、透明カバー９が設けられており、展示スペースには光透過性素材を用いて形成された商品見本８が縦横複数段にわたって展示されている。
【００２３】商品見本８の裏面に自動販売機用省電力薄型耐熱照明装置２０を設置し、該照明装置は、ＬＥＤ光源２６、導光板２２、反射素材２４、光拡散素材２３、アルミ複合板材２５を備え、図５及び図６のように支持材装備額縁材３０，ＬＥＤ光源装備額縁材３１により四辺を形成され筺体に収納されている。
【００２４】ＬＥＤ光源２６は上記照明装置の上下または左右の対向する両端面に配置されており、該ＬＥＤ光源２６は高輝度白色ＬＥＤを回路基盤に一定間隔に実装配置し幅狭長尺モジュールとし、該モジュール全体にコーティング剤で真空蒸着加工されることにより防滴性能を有する。
【００２５】またＬＥＤ光源２６は、一方の対向する両端のＬＥＤ光源装備額縁材３１に挿入装備され、それぞれのＬＥＤ光源装備額縁材３１両端までの長さを有する長尺ものである。
【００２６】ＬＥＤ光源２６は、先端に耐熱難燃性コネクターを装備した耐熱難燃性配線により、ＤＣ電源に接続される。
【００２７】自動販売機用省電力薄型耐熱照明装置２０は商品見本８の裏面に近接して配置されている。
【００２８】導光板２２、はアクリル樹脂からなり、該導光板２２の反射材２４に接する面は全面にわたる微細なＶ字状溝の凹凸を有する。これはドットプリント方式でも可能である。導光板２２は、すべての額縁材との関係において、熱による線膨張率を勘案した縦横サイズとする。
【００２９】光拡散素材２３は、紫外線による黄変または変色が少ない耐候性紫外線遮断加工を施してあり、すべての額縁材との関係において、熱による線膨張率を勘案し、導光板２２と縦横同サイズのものを用いる。
【００３０】アルミ複合板材２５は、アルミ薄板で、少なくともポリプロピレンなどを材料とする難燃性樹脂板を両面から挟んだ軽量なもので、外部からの熱を遮断する断熱材とすると共に、上記照明装置に剛性を付与する芯材とし、反射素材２４と接する面は、白色塗装により反射効率を高めてあり、すべての額縁材との関係において、熱による線膨張率を勘案した縦横サイズのものを用いる。
【００３１】支持材装備額縁材３０、ＬＥＤ光源装備額縁材３１は、少なくともアルミニウム等の熱伝導性に優れた金属を主成分とする合金を材料とし、図５、図６のように背面側は正面側より幅広にし、上記照明装置を保持する構造強度を確保するとともに、ＬＥＤ光源装備額縁材３１の内部に装備したＬＥＤ光源２６のヒートシンクとする。
【００３２】支持材装備額縁材３０，ＬＥＤ光源装備額縁材３１の放熱部３３は、放熱面積を広くするためＣ字型形状に加工することにより、締結用Ｌ字型金具３４を装着するＬ時金具取付部２９と外端部からの耐衝撃構造を兼ねる。
【００３３】ストッパー２１は、ＬＥＤ光源２６が、導光板２２、光拡散素材２３、反射素材２４、アルミ複合板材２５と干渉することを避けるためのものであり、ＬＥＤ光源２６と導光板２２との間で光の入射角と入射距離を保持し、また、高温時に導光板２２の熱膨張によるＬＥＤ光源２６への接触破壊を防ぐ。
【００３４】導光板２２、光拡散素材２３、反射素材２４、アルミ複合板材２５は、ＬＥＤ光源２６が装備された上下又は左右の対向するＬＥＤ光源装備額縁材３１の内側に図７のように組み込み、ＬＥＤ光源装備額縁材３１と支持材装備額縁材３０のＬ時金具取付部２９にＬ字型金具３４を挿入して六角芋ねじ３５で締結して、四辺を形成する。
【００３５】支持材３２は図５のように支持材装備額縁材３０の背面から装着し、導光板２２、反射素材２４、アルミ複合板材２５を、それぞれに設けた切り欠きで支持するが、これは、常温時に前記各部材を一定位置に支持するとともに、高温時にはＬＥＤ光源２６に干渉しない方向に膨張を限定させるためである。
【００３６】支持材３２は、ＬＥＤ光源の導光を妨げないよう、導光板２２を貫通させない。
【００３７】支持材３２に対しての、導光板２２、反射素材２４、断熱アルミ複合板材２５の各切り欠きは、熱による膨張を勘案し、支持材３２の寸法より前記各部材の線膨張率分大きくバカ穴にする。
【００３８】自動販売機用省電力薄型耐熱照明装置の縦横サイズにより、熱による膨張絶対値が変化するため、支持穴の位置は自動販売機用省電力薄型耐熱照明装置の縦横サイズに合わせ決定する。
【符号の説明】
【００３９】  １      本体キャビネット
２      前面ドア
３      硬貨投入口
４      紙幣挿入口
５      返却レバー
６      硬貨返却口
７      商品取出口
８      光透過性素材商品見本
９      透明板
１０      商品選択ボタン
１１      広告板
２０      自動販売機用省電力薄型耐熱照明装置
２１      ストッパー
２２      導光板
２３      光拡散素材
２４      反射素材
２５      アルミ複合板材
２６      ＬＥＤ光源
２７      支持材装備額縁材正面
２８      ＬＥＤ光源装備額縁材正面
２９      Ｌ字金具取付部
３０      支持材装備額縁材
３１      ＬＥＤ光源装備額縁材
３２      支持材
３３      放熱部
３４      Ｌ字金具
３５      六角芋ねじ
３６      支持材装備額縁材切り欠き
３７      パネル本体切り欠き
【図１】
2012074027.tif 000003
【図２】
2012074027.tif 000004
【図３】
2012074027.tif 000005
【図４】
2012074027.tif 000006
【図５】
2012074027.tif 000007
【図６】
2012074027.tif 000008
【図７】
2012074027.tif 000009
【図８】
2012074027.tif 000010
【図９】
2012074027.tif 000011